(57)【要約】【課題】  音楽のディジタル再生において、レコード再生時の音質および雰囲気を再現することを目的とし、精巧な針音信号の作製方法、およびディジタル再生の演奏音に針音を混合して再生する音楽再生装置を提供する。【解決手段】  無音溝のレコードを製造する製造工程と、前記無音溝のレコードを針式再生装置で演奏して針音を発生させる演奏工程と、前記針音を収録する収録工程により針音を作成する。  針音信号を記録した記録媒体と、記録媒体の再生装置１と、ディジタル音楽再生装置２と、音響ミキサー３と、アンプ４と、スピーカー５とを備える音楽再生装置を使用し、ディジタル音楽の演奏音に針音信号を混合することにより、ディジタル音楽の再生において、あたかも針式再生装置で音楽を再生したような音質と雰囲気を提供する。【選択図】      図１
2010003382.tif 000002
【特許請求の範囲】
【請求項１】
無音溝のレコードを製造する製造工程と、前記無音溝のレコードを針式再生装置で演奏して針音を発生させる演奏工程と、前記針音を収録する収録工程とを備えることを特徴とする針音信号の作成方法。
【請求項２】
前記無音溝レコードの演奏回数により、針音のノイズ量を調節することを特徴とする請求項１記載の針音信号の作成方法。
【請求項３】
前記針音信号にディジタルフィルター処理を施すフィルター処理工程を備えていることを特徴とする請求項１または２記載の針音信号の作成方法。
【請求項４】
前記針音信号にリミッター処理を施すリミッター処理工程を備えていることを特徴とする請求項１、２または３記載の針音信号の作成方法。
【請求項５】
前記針音信号のデータ長を編集するデータ長編集工程を備えていることを特徴とする請求項１、２、３または４記載の針音信号の作成方法。
【請求項６】
前記針音信号は、そのデータ先頭部には、針式再生において針をレコードに降ろした時に生じる針音を備え、そのデータ後尾部には、針式再生においてレコードの音声収録部以降にあたる無音部周回時の針音を備えていることを特徴とする請求項１、２、３、４または５記載の針音信号の作成方法。
【請求項７】
針音信号を記録した記録媒体と、記録媒体の再生装置（１）と、ディジタル音楽再生装置（２）と、音響ミキサー（３）と、アンプ（４）と、スピーカー（５）とを備え、前記針音信号は請求項１、２、３、４、５または６記載の針音信号の作成方法により作成されることを特徴とする音楽再生装置。
【発明の詳細な説明】
【技術分野】
【０００１】
本発明は針音信号の作成方法および針音をディジタルオーディオの演奏音に混合して演奏する音楽再生装置に関する。
【背景技術】
【０００２】
音楽再生において、１９８０年代前半までは、ＳＰ、ＬＰといったレコード盤を針式再生装置で再生するアナログ式が主流であった。これはレコード盤に刻まれた音溝を針でトレースすることにより信号を読み取るものであり、演奏の際には演奏音に加えて針音が付随する。針音とは、針式再生の代表的な特徴である「プチプチ」「パチパチ」などと聞こえるノイズ音であり、レコードの音溝に付着した塵やカビ等の異物、レコードの傷または帯電した静電気等を針でトレースした際に発生する。また、針音の性質については、前記発生原因によってその音質は異なり、レコード上での異物等の分布状況によっても針音の音量、間隔または発生量は変化するので、針音の信号は不規則波形となる。
【０００３】
一方、近年では、ディジタル技術の進歩に伴い、ＣＤやＭＤおよびＭＰ３プレーヤー等のディジタル再生装置が普及し、アナログ式に取って代わって一般的に使用されている。これらディジタル再生装置は、媒体に記録された音楽信号の読み取りにおいて、非接触型の手法を用いているので、ノイズ音が発生せず楽曲本来のクリアな音質を得ることができ、しかも音質が劣化しにくい、若しくは劣化しないといった大きな特徴がある。
【０００４】
このようなディジタル再生装置の普及で音質が向上した一方で、これに無味乾燥だという感覚を抱く人や、レコード再生時のその針音の入り混じった音質や雰囲気に昔を懐かしむ郷愁と共に、人間味のある暖かみと一種の存在感を感じる人も多い。
【０００５】
そこで、本発明者は、ディジタル再生される演奏音に、レコード再生の代表的な特徴である針音を加えることにより、音楽のディジタル再生においてレコード再生時の音質や雰囲気を忠実に再現するこという発想に至り、中でも重要である針音の開発に鋭意取り組んできた。なお、特許文献１では、ディジタル技術により針音信号を模擬的に作製しているが、上記した針音の複雑な特性を捉えていない為、針音の音質やレコード再生時の雰囲気を十分に再現しきれていないという問題がある。
【特許文献１】特開平９−６２２８５号公報
【発明の開示】
【発明が解決しようとする課題】
【０００６】
そこで本発明は上記課題を解決するためになされたものであり、音楽のディジタル再生において、レコード再生時の音質および雰囲気を再現することを目的とし、精巧な針音信号の作製方法、およびディジタル再生の演奏音に針音を混合して再生する音楽再生装置を提供する。
【課題を解決するための手段】
【０００７】
以下、上記目的を達成するための手段について記載する。
請求項１記載の針音信号の作成方法は、無音溝のレコードを製造する製造工程と、前記無音溝のレコードを針式再生装置で演奏して針音を発生させる演奏工程と、前記針音を収録する収録工程とを備えることを特徴とする。
【０００８】
これによると、実際に針式再生装置で無音溝レコードを演奏して針音を発生させるため、本物の針音信号を作成することができ、しかも針音のみを抽出することができる。ここで、無音溝のレコードとは、最初から最後までまったく音が収録されていないレコードであり、通常、レコードは何らかの音または音楽を収録して製造されるものであって、無音溝のレコードが製造されることはほとんどない。
【０００９】
レコードを演奏した場合に、聞こえてくる針音のノイズの量は、レコードの状態によってまちまちであり、多いものもあれば少ないものもある。
【００１０】
そこで、請求項２記載の発明のように、前記無音溝レコードの演奏回数により、針音のノイズ量を調節すると、ノイズ量の異なる様々な針音信号を作成できる。すなわち、無音溝レコードの演奏回数が比較的少ないうちにはノイズ量は少なく、演奏を重ねると針圧によりレコードが徐々に劣化しノイズ量が増えていくものであり、好適なノイズ量の時に適時収録を行う。
【００１１】
通常、針式再生装置でレコードを演奏すると、トーンアームの低域共振が生じ、結果として数Hzから十数Hz程度の低周波数の雑音（低域共振音）が発生してしまうという問題がある。しかも、アンプおよびスピーカーを介して、低域共振音が演奏音と非線形干渉しまう、いわゆる混変調歪みと呼ばれる現象が発生し、演奏波形が変形し演奏音が歪められるという問題も起こる。
【００１２】
そこで、請求項３記載の発明のように、針音信号にディジタルフィルター処理を施すフィルター処理工程を備えることで、低域共振音を除去することができると共に、演奏時の混変調歪みの発生を抑えることができる。ディジタルフィルターとしては、急峻な勾配傾斜または遮断特性を有するハイパスフィルターを使用することで、針音信号自体に影響を及ぼさず、低周波数成分を除去することができる。
【００１３】
また、針音信号は、波形勾配が急峻なパルス性の矩形波状信号であって、大小様々な振幅の成分が混在している。このような信号の状態では、誤って使用者が針音の出力を大きくした場合に、信号中の振幅の大きい部分によってスピーカーの高音域を受け持つツイーターまたは中域を受け持つミッドレンジを破損してしまう恐れがある。
【００１４】
そこで、請求項４の発明のように、針音信号にリミッター処理を施すリミッター処理工程を備えると、スピーカーの破損を防止することができる。ここでのリミッター処理は、信号の振幅に閾値を設け、音質を変化させないようにしつつ信号の振幅が閾値を超えないように信号波形を修正している。
【００１５】
無音溝のレコードの再生時間、すなわち針音信号の収録時間は、通常、ＣＤ等のディジタル媒体に収録された音楽の再生時間に比べて短い場合が多く、このような場合に、演奏音と針音を混合して演奏しても、演奏途中で針音が終了してしまう。
【００１６】
そこで、請求項５記載の発明のように、針音信号のデータ長を編集するデータ長編集工程を備えると、ＣＤ等のディジタル媒体に収録された音楽のデータ長に対して、針音信号のデータ長を対応させることが可能となる。データ長の編集は違和感のないように繰り返し処理を行っている。
【００１７】
加えて、請求項６記載の発明のように、前記針音信号において、そのデータ先頭部には、針式再生装置において針をレコードに降ろした時に生じる針音を備え、そのデータ後尾部にはレコードの音声収録部以降にあたる無音部周回時の針音を備えると、より一層、針式再生装置でレコードを再生したような雰囲気を醸し出すことができる。
【００１８】
実際の針音信号の使用については、請求項７記載の発明のように、針音信号を記録した記録媒体と、記録媒体の再生装置と、ディジタル音楽再生装置と、音響ミキサーと、アンプと、スピーカーとを備え、前記針音信号は請求項１、２、３、４、５または６記載の針音作成方法により作成されることを特徴とする音楽再生装置を使用すると、ディジタル音楽の演奏音に針音信号を混合することができ、ディジタル再生装置の演奏でありながら、あたかも針式再生装置で音楽を再生したような音質と雰囲気を提供できる。ここで、ディジタル音楽の再生信号と針音信号は音響ミキサーによって混合され、混合信号をアンプに入力し、スピーカーを介して混合音が出力される。また、記録媒体は、例えばＣＤ、ＭＤ、またはメモリ等が挙げられ、記録媒体の再生装置およびディジタル音楽再生装置としては、例えばＣＤ、ＭＤ、またはＭＰ３プレーヤー等が挙げられるが、これらは特に限定されるものではない。
【発明の効果】
【００１９】
本発明のうち、針音信号の作成方法の効果については、請求項１記載の発明によると、無音溝のレコードを製作し、このレコードを針式再生装置で演奏して針音を発生させ、針音を収録することにより、本物の針音信号を作成することができ、しかも針音のみを抽出することができる。また、あたかもレコード盤を針式再生装置で再生したのと同質の音質と雰囲気を醸し出すことができ、その針音の入り混じった演奏に昔を懐かしむと共に、その針音に人間味あふれる暖かさと、一種の存在感を感じることができる。
【００２０】
請求項２記載の発明によると、ノイズ量を調節できるので、ノイズ量の異なる様々な針音信号を作成することができる。
【００２１】
請求項３記載の発明は、針音信号にディジタルフィルターを施すことによって、低域共振信号を除去して針音信号のみを抽出することができると共に、演奏時における混変調歪みの発生を抑えることができる。
【００２２】
請求項４記載の発明によると、針音信号にリミッター処理を施すことで、針音再生時におけるスピーカーの破損を防止することができる。
【００２３】
請求項５記載の発明は、針音信号のデータ長を編集することにより、ＣＤ等のディジタル媒体に収録された音楽のデータ長に針音信号のデータ長を対応させることが可能となる。
【００２４】
請求項６記載の発明のように、前記針音信号において、そのデータ先頭部には針式再生装置において針をレコードに降ろした時に生じる針音を備え、データ後尾部にはレコードの音声収録部以降にあたる無音部周回時の針音を備えることにより、より一層、針式再生装置でレコードを再生したような雰囲気を醸し出すことができる。
【００２５】
請求項７記載の発明における音楽再生装置によると、ディジタル音楽の演奏音に針音信号が混合され、ディジタル音楽の再生でありながら、あたかも針式再生装置で音楽を再生したような音質および雰囲気を提供することができる。
【発明を実施するための最良の形態】
【００２６】
以下、本発明の具体的な実施について説明する。まず、針音信号の代表的な作成方法については、大きくは信号作成部分と信号加工部分に分けられる。
【００２７】
信号作成部分については、まず無音溝のレコードを製造する。無音溝のレコードは、カッティングマシーンを使用してラッカー盤に無音の溝を形成していき、無音溝のみからなるレコードを製造する。次に、無音溝のレコードを針式再生装置で演奏して針音を発生させ、録音装置により針音を収録することにより針音信号が作成される。ここで、収録の際には針をレコードに降ろした時の針音およびレコードの音声収録部以降にあたる無音部周回時の針音も収録しておく。なお、録音装置は特に限定されるものではないが、例えば針音を電気録音により収録し、ＣＤやハードディスクまたはメモリ等の記録媒体に記録することが挙げられる。
【００２８】
また、無音溝のレコードの演奏と針音の収録を重ねていくことで、ノイズ量の調節を行っている。具体的には、最初に演奏した場合がもっともノイズ量が少なく、ここから演奏を重ねていき、針圧によりレコードを徐々に劣化させてノイズ量を増やしていくという方法であり、必要に応じて好適なノイズ量の場合に収録を行っていくことで、ノイズ量の異なる複数の針音信号を作成することができる。例えばノイズ量が少・中・多の３種類の針音信号を作成し、状況に応じて使い分けること等が考えられる。
【００２９】
信号加工部分では作成された針音信号に対し、複数のディジタル処理を施している。一つは針音信号にディジタルフィルター処理を行い、低域共振音を除去している。ここでディジタルフィルターとしては、急峻な勾配を有するハイパスフィルターを使用し、針音信号に影響を及ぼさないようにしつつ、低周波数成分を除去している。
【００３０】
また、針音信号には、リミッター処理を行い、信号の振幅を部分的に修正している。ここでは、信号の振幅に閾値を設定し、音質を維持しつつ、閾値を超えないように信号の振幅を修正している。
【００３１】
さらに、針音信号のデータ長をＣＤ等のディジタル媒体に収録された音楽のデータ長に対応させるため、違和感がないように針音信号の繰り返し処理を行ってデータ長を編集している。
【００３２】
加えて、よりレコード演奏時の雰囲気に近づけるため、針音信号の先頭部は、針式再生装置で針をレコードに降ろした時に発生する針音を信号とし、後尾にはレコードの音声収録部以降にあたる無音部の周回時の針音信号を備えている。
【００３３】
以上により作成した針音信号は、ＣＤ等のディジタル音楽と併せて以下に説明する音楽再生装置で再生する。
【００３４】
音楽再生装置の代表的な例として、図１に第１の実施例を示す。音楽再生装置は、針音信号を記録した記録媒体と、記録媒体の再生装置１と、ディジタル音楽再生装置２と、音響ミキサー３と、アンプ４と、スピーカー５とから構成されている。ここで、記録媒体の再生装置１は針音信号を再生するものであり、ディジタル音楽再生装置２は音楽を再生するものである。なお、記録媒体は、例えばＣＤ、ＭＤ、またはメモリ等が挙げられ、記録媒体の再生装置１およびディジタル音楽再生装置２としては、例えばＣＤ、ＭＤ、またはＭＰ３プレーヤー等が挙げられる。
【００３５】
記録媒体の再生装置１およびディジタル音楽再生装置２より出力した信号は音響ミキサー３により混合され、混合された信号はアンプ４およびスピーカー５を介して音声として出力される。この装置により、ディジタル音楽に針音信号を混合すると、アナログレコードの音質が再現され、針式再生装置でレコードを再生した雰囲気を楽しむことができる。
【００３６】
音楽再生装置の別の実施例として図２に第２の実施例を示す。装置の構成および主要な機能は第１の実施例と同じであるが、第１の実施例に対して、記録媒体の再生装置１の信号をアンプ４に出力し、これをアンプ４のＲＥＣ  ＯＵＴ端子６より音響ミキサーに出力し、音響ミキサー３で音楽信号と混合され、混合した信号をアンプ４のＴＡＰＥ  ＭＯＮＩＴＯＲ端子７に出力し、スピーカー５を介して音声として出力されるという部分が異なる。
【００３７】
これによると、針音信号を混合しない場合には、アンプ４のＴＡＰＥ  ＭＯＮＩＴＯＲスイッチを切っておくと、音楽信号は音響ミキサー３を介さず出力されるので、一般的なディジタル音楽の再生装置と同様の構成で音楽を再生することができ、また音響ミキサー３の取付けや取外しといった接続の手間を省くことができる。
【図面の簡単な説明】
【００３８】
【図１】本発明における音楽再生装置の第１の実施例を示すブロック図。
【図２】本発明における音楽再生装置の第２の実施例を示すブロック図。
【符号の説明】
【００３９】
１  記録媒体の再生装置
２  ディジタル音楽再生装置
３  音響ミキサー
４  アンプ
５  スピーカー
６  ＲＥＣ  ＯＵＴ端子
７  ＴＡＰＥ  ＭＯＮＩＴＯＲ端子
【図１】
2010003382.tif 000003
【図２】
2010003382.tif 000004